(57)【要約】【課題】固定式等速自在継手のボール溝をテーパ形状にして高角化を容易にしつつ、それに伴って増大するポケット荷重にケージがよく耐えるようにし、早期破損を防止する。【解決手段】外側継手部材のボール溝の開口端側溝底を、前記開口端に向かって直線的に拡径したテーパ状とし、内側継手部材のボール溝の、外側継手部材の反開口端側溝底を、前記反開口端側に向かって直線的に拡径したテーパ状とし、ケージ外径Ｄｏのボール径ｄに対する比の値Ｄｏ／ｄ、ケージ肉厚ｔのボール径ｄに対する比の値ｔ／ｄ、ケージ幅ｗのボール径ｄに対する比の値ｗ／ｄを次のように設定する。３．９≦Ｄｏ／ｄ≦４．１０．３１≦ｔ／ｄ≦０．３４１．８≦ｗ／ｄ≦２．０【選択図】  図２
2006266459.tif 000002
【特許請求の範囲】
【請求項１】
内球面に、開口端まで軸方向に延びた複数のボール溝を円周方向等間隔に形成した外側継手部材と、外球面に、軸方向に延びた複数のボール溝を円周方向等間隔に形成した内側継手部材と、対をなす外側継手部材のボール溝と内側継手部材のボール溝との間に介在してトルクを伝達する複数のボールと、外側継手部材の内球面と内側継手部材の外球面との間に介在し、ボールを収容するポケットを円周方向に配設したケージとを備え、
外側継手部材のボール溝の開口端側溝底を、前記開口端に向かって直線的に拡径したテーパ状とし、
内側継手部材のボール溝の、外側継手部材の反開口端側溝底を、前記反開口端側に向かって直線的に拡径したテーパ状とし、
ケージ外径Ｄｏのボール径ｄに対する比の値Ｄｏ／ｄが３．９以上４．１以下であり、ケージ肉厚ｔのボール径ｄに対する比の値ｔ／ｄが０．３１以上０．３４以下であり、ケージ幅ｗのボール径ｄに対する比の値ｗ／ｄが１．８以上２．０以下であることを特徴とする高角固定式等速自在継手。
【請求項２】
外側継手部材および内側継手部材のボール溝のテーパ角度が１２deg以下であることを特徴とする請求項１の高角固定式等速自在継手。
【請求項３】
ケージの外球面中心と内球面中心は継手中心に対して軸方向に等距離だけ反対側にオフセットさせてあり、前記オフセットの量ｆの、外側継手部材のボール溝の曲率中心または内側継手部材のボール溝の曲率中心とボールの中心とを結ぶ線分の長さＰＣＲとの比の値ｆ／ＰＣＲが、０．０１８以上０．１５０以下の範囲であることを特徴とする請求項１または２の高角固定式等速自在継手。
【請求項４】
外側継手部材の開口端側にケージの厚肉側を位置させたことを特徴とする請求項３の高角固定式等速自在継手。
【請求項５】
外側継手部材のボール溝の曲率中心と内球面の中心が一致し、内側継手部材のボール溝の曲率中心が外球面の中心と一致していることを特徴とする請求項３の高角固定式等速自在継手。
【発明の詳細な説明】
【技術分野】
【０００１】
本発明は高角固定式等速自在継手に関する。等速自在継手は、自動車や各種産業機械の動力伝達系において、駆動側の回転軸と従動側の回転軸を連結して等角速度でトルクを伝達するもので、固定式と摺動式があり、摺動式が角度変位と軸方向変位を許容するのに対して固定式は角度変位のみを許容するタイプである。
【背景技術】
【０００２】
一般に、固定式等速自在継手は、駆動側または従動側の軸とトルク伝達可能に結合する外側継手部材と、従動側または駆動側の軸とトルク伝達可能に結合する内側継手部材と、外側継手部材と内側継手部材との間に介在してトルクを伝達する複数のトルク伝達要素と、複数のトルク伝達要素を駆動軸と従動軸とがなす角度の二等分面内に保持するケージとを備えている。
【０００３】
近年、自動車の乗車空間拡大の観点からホイールベースを長くすることがあるが、それに伴って車両回転半径が大きくならないようにするため、自動車のドライブシャフト等の連結用継手として使用されている固定式等速自在継手の高角化による前輪の操舵角の増大が求められている。
【０００４】
高角化のニーズに対する固定式等速自在継手としては、トルク伝達要素が転動するトラックを構成する外側継手部材のボール溝と内側継手部材のボール溝の底をテーパ状にすることが提案されている（例えば、特許文献１〜３参照）。
【特許文献１】特開２００１−１５３１４９号公報
【特許文献２】特開２００１−３０４２８２号公報
【特許文献３】特開２００１−３４９３３２号公報
【発明の開示】
【発明が解決しようとする課題】
【０００５】
特許文献１〜３に開示された固定式等速自在継手では、外側継手部材および内側継手部材のボール溝をテーパ形状にすることで高角化を容易にしている。しかしながら、ボールと接するケージのポケット側壁が受ける荷重（以下、ポケット荷重という。）がテーパ角度に比例して大きくなるという問題がある（図９参照）。
【０００６】
本発明の主要な目的は、固定式等速自在継手のボール溝をテーパ形状にして高角化を容易にしつつ、それに伴って増大するポケット荷重にケージがよく耐えるようにし、早期破損を防止することである。
【課題を解決するための手段】
【０００７】
本発明は、高角固定式等速自在継手の内部諸元の中で、ボール溝をテーパ形状にすることによって等速自在継手内部に発生する力（とくにポケット荷重）を検証し、等速自在継手の強度に与える影響を考慮し、ケージの形状を最適設定することにより課題を解決したものである。
【０００８】
すなわち、本発明の固定式等速自在継手は、内球面に、開口端まで軸方向に延びた複数のボール溝を円周方向等間隔に形成した外側継手部材と、外球面に、軸方向に延びた複数のボール溝を円周方向等間隔に形成した内側継手部材と、対をなす外側継手部材のボール溝と内側継手部材のボール溝との間に介在してトルクを伝達する複数のボールと、外側継手部材の内球面と内側継手部材の外球面との間に介在し、ボールを収容するポケットを円周方向に配設したケージとを備え、外側継手部材のボール溝の開口端側溝底を、前記開口端に向かって直線的に拡径したテーパ状とし、内側継手部材のボール溝の、外側継手部材の反開口端側溝底を、前記反開口端側に向かって直線的に拡径したテーパ状とし、ケージ外径Ｄｏのボール径ｄに対する比の値Ｄｏ／ｄが３．９以上４．１以下であり、ケージ肉厚ｔのボール径ｄに対する比の値ｔ／ｄが０．３１以上０．３４以下であり、ケージ幅ｗのボール径ｄに対する比の値ｗ／ｄが１．８以上２．０以下であることを特徴とする。
【０００９】
ケージ外径Ｄｏのボール径ｄに対する比の値Ｄｏ／ｄは、従来の固定式等速自在継手では３．７≦Ｄｏ／ｄ≦３．８であったところ、本発明では３．９≦Ｄｏ／ｄ≦４．１にする。作動角が大きくなるとボールがポケット内の径方向に移動する量が増える（図３参照。図３において、符号ｍはボールとケージが接触する最外径位置を示し、符号ｎはボールとケージが接触する最内径位置を示す）。最大作動角時でもボールの接触点がケージから外れてはならないことから、ケージ外径の下限値は必然的に決まる。また、ケージ外径が過大であると外側継手部材のボール溝深さが不十分となり耐久性が悪化する。したがって、耐久性を最小限確保することのできる外径寸法をケージ外径の上限値としたものである。
【００１０】
ケージ肉厚ｔのボール径ｄに対する比の値は、従来の固定式等速自在継手では０．２４≦ｔ／ｄ≦０．２７であったところ、本発明では０．３１≦ｔ／ｄ≦０．３４とする。ケージ肉厚ｔは上記のＤｏ／ｄより決まる外径と後述する内径とで規定することができる。その内径寸法の規定の考え方はＤｏ／ｄの場合と同様で、上限値はボールの接触点を確保するという観点から決まり、下限値は内側継手部材のボール溝深さ、すなわち耐久性を確保するという観点から決まる。
【００１１】
ケージ幅ｗのボール径ｄに対する比の値ｗ／ｄは、従来の固定式等速自在継手では１．７≦ｗ／ｄ≦１．９であったところ、本発明では１．８≦ｗ／ｄ≦２．０とした。ケージの、増大したポケット荷重を受けるポケット側壁の応力値を、従来の高角固定式等速自在継手（ＵＪ）並み以下に設定するため、ポケット側壁の断面係数を確保する必要があるが、外径、内径は上記Ｄｏ／ｄ、ｔ／ｄによって決まるため、幅寸法にて調整する。このとき、応力値が従来の固定式等速自在継手（ＵＪ）並みとなる幅寸法を下限値とすることで、従来の高角固定式等速自在継手（ＵＪ）と同等以上の強度が確保できることになる。また、幅寸法を過大に設定すると重量および材料費が増加するため、上限値は、下限値からの範囲（規格規定範囲）を従来の高角固定式等速自在継手と同等に設定したものである。
【００１２】
請求項２の発明は、請求項１の高角固定式等速自在継手において、外側継手部材および内側継手部材のボール溝のテーパ角度が１２deg以下であることを特徴とする。従来必要な基本性能である強度や耐久性を確保しながら、内部力解析、有限要素法（ＦＥＭ）解析を用いて検討を進め、テーパ角度の範囲を絞り込んで最適設定した。そして、テーパ角度を変えたサンプルの評価結果と解析結果との整合性を確認した。ボール溝をテーパ状とすることにより、外側継手部材の外径を大きくすることなく、作動角の高角化を容易に実現する上で、外側継手部材の肉厚を薄くしてもその外側継手部材の強度および加工性を低下させないように、この高角固定式等速自在継手の内部諸元の中で、ボール溝をテーパ状にすることによる影響および傾向を検証し、テーパ角度の最適値としてその上限値を１２°に規定した。
【００１３】
請求項３の発明は、請求項１または２の高角固定式等速自在継手において、ケージの外球面中心と内球面中心は継手中心に対して軸方向に等距離だけ反対側にオフセットさせてあり（このオフセットをケージオフセットと呼ぶこととする。）、前記オフセットの量ｆの、外側継手部材のボール溝の曲率中心または内側継手部材のボール溝の曲率中心とボールの中心とを結ぶ線分の長さＰＣＲとの比の値ｆ／ＰＣＲが、０．０１８以上０．１５０以下の範囲であることを特徴とする。
【００１４】
ケージオフセット量ｆはケージの縦断面における肉厚差に関係するため、この点を考慮に入れてケージオフセット量ｆを設定するのが望ましい。たとえば、ケージオフセット量ｆを大きく設定することにより、請求項４の発明のように、外側継手部材の開口端側のケージの肉厚を増大させて強度向上を図ることができるという利点がある。また、外側継手部材の開口端側のケージの肉厚を増大させることによって、作動角をとった時、外側継手部材の開口端から飛び出そうとするボールをケージで拘束することができる。
【００１５】
ただし、ケージオフセット量ｆが大きすぎると、ケージのポケット内におけるボールの周方向移動量が大きくなり、ボールの適正な運動を確保するため、ケージのポケットの周方向寸法を大きくする必要が生じるので、ケージの柱部が細くなり、強度面が問題となる。また、ケージの、外側継手部材の奥側つまり開口端とは反対側の肉厚が小さくなり、強度面が問題となる。
【００１６】
このように、ケージオフセット量ｆが過大であるのは好ましくなく、ケージオフセット量ｆを設ける意義と前述の強度面との均衡を図り得る最適範囲が存在する。ただ、ケージオフセット量ｆの最適範囲は継手の大きさによって変わるので、継手の大きさを表わす基本寸法との関係において求める必要がある。そこで、外側継手部材のボール溝の曲率中心または内側継手部材のボール溝の曲率中心とボールの中心とを結ぶ線分の長さＰＣＲに対するケージオフセット量ｆの比の値ｆ／ＰＣＲを用いるならば、ケージオフセット量ｆは、ｆ／ＰＣＲが０以上０．１２以下の範囲内となるように設定することが望ましい。
【００１７】
ｆ／ＰＣＲが０．１２より大きいと前述の強度面での問題が生じる。逆に、０より小さいとケージオフセット量ｆを設ける意義がなくなる。すなわち、ケージオフセットは、高作動角の時にボールがケージのポケットから飛び出すことを防ぐのが目的の一つであるところ、０より小さい範囲ではその目的が達成できない。したがって、ケージ強度の確保、耐久性の確保の点から、ｆ／ＰＣＲが０以上０．１２以下となる範囲が、ケージオフセット量ｆの最適範囲である。
【００１８】
請求項５の発明は、請求項３の高角固定式等速自在継手において、外側継手部材のボール溝の曲率中心と内球面の中心が一致し、内側継手部材のボール溝の曲率中心が外球面の中心と一致していることを特徴とする。外側継手部材のボール溝の曲率中心を内球面の中心に対して、また、内側継手部材のボール溝の曲率中心を外球面の中心に対して、軸方向に互いに反対側にオフセットさせた場合（このオフセットをトラックオフセットと呼ぶこととする。）、外側継手部材の奥側にゆくほどボール溝が浅くなるため、作動角をとった時に外側継手部材の最奥部に位置するボールがボール溝の肩に乗り上げるおそれがある。このトラックオフセットをなくすことにより、外側継手部材の奥側でもボール溝が浅くならず、したがって、作動角をとった時でも外側継手部材の最奥部に位置するボールの乗り上げを抑制することができる。
【発明の効果】
【００１９】
本発明によれば、増大したポケット荷重にもケージがよく耐え、早期破損を防止することができるため、固定式等速自在継手のボール溝をテーパ形状にして高角化を容易に達成することができる。
【発明を実施するための最良の形態】
【００２０】
以下、図面に従って本発明の実施の形態を説明する。
【００２１】
図１に示す固定式等速自在継手は、外輪１０と、内輪２０と、ボール３０と、ケージ４０を主要な構成要素としている。この固定式等速自在継手によって連結すべき二軸を第一の回転軸と第二の回転軸と呼ぶならば、第一の回転軸を外輪１０と結合し、第二の回転軸を内輪２０と結合して、両者が角度をなした状態でも等速でトルクを伝達するようになっている。なお、図２に図１の主要部を拡大して示す。また、図３に外輪１０の回転軸Ｘと内輪２０の回転軸Ｙとがなす角すなわち作動角θが最大（例えば５２°以上）の状態を示し、図１では作動角θが０°の状態を示してある。
【００２２】
外側継手部材としての外輪１０はマウス部１６とステム部（図示せず）とからなり、ステム部にて第一の回転軸とトルク伝達可能に結合する。マウス部１６は一端にて開口したベル型で、その凹球面状内周面（以下、内球面という。）１２に、軸方向に延びた複数のボール溝１４が円周方向等間隔に形成してある。ボール溝１４はマウス部１６の開口端１８まで延びている。
【００２３】
内側継手部材としての内輪２０は、凸球面状外周面（以下、外球面という。）２２を有し、その外球面２２には軸方向に延びた複数のボール溝２４が円周方向等間隔に形成してある。ボール溝２４は内輪２０の軸方向に切り通してある。内輪２０は第二の回転軸とトルク伝達可能に結合するためのスプライン（またはセレーション）孔２６を有している。
【００２４】
外輪１０のボール溝１４と内輪２０のボール溝２４とは対をなし、各対のボール溝１４，２４で構成されるトラックに１個ずつ、トルク伝達要素としてのボール３０が転動可能に組み込んである。ボール３０は外輪１０のボール溝１４と内輪２０のボール溝２４との間に介在してトルクを伝達する。各ボール３０はケージ４０の円周方向に配設したポケット４６内に収容されている。ボール３０の数、したがってまたボール溝１４，２４の数は任意であるが、例を挙げるならば６あるいは８である。
【００２５】
ケージ４０は外輪１０と内輪２０との間に摺動可能に介在し、外球面４２にて外輪１０の内球面１２と接し、内球面４４にて内輪２０の外球面２２と接する。外輪１０の内球面１２の曲率中心とケージ４０の外球面４２の曲率中心とは一致し、図２に符号Ｏ4で示してある。同様に、内輪２０の外球面２２の曲率中心とケージ４０の内球面４４の曲率中心とは一致し、図２に符号Ｏ3で示してある。なお、図面では、外輪１０の内球面１２とケージ４０の外球面４２との間、内輪２０の外球面２２とケージ４０の内球面４４との間のすきまが誇張して示してある。
【００２６】
外輪１０のボール溝１４は円弧部分１４ａと直線部分１４ｂとからなり、円弧部分１４ａはマウス部１６の奥側つまり反開口端側に位置し、直線部分１４ｂは開口端１８側に位置する。そして、ボール溝１４は、開口端１８側の溝底を、開口端１８に向かって直線的に拡径するテーパ角度αのテーパ状としてある。
【００２７】
内輪２０のボール溝２４は円弧部分２４ａと直線部分２４ｂとからなり、円弧部分２４ａは外輪１０の開口端１８側に位置し、直線部分２４ｂは反開口端側に位置する。そして、ボール溝２４は、外輪１０の奥側つまり反端面側の溝底を、反端面側に向かって直線的に拡径するテーパ角度αのテーパ状としてある。
【００２８】
この実施の形態では、大きな作動角θを取り得る構造とするため、図２に示すように、外輪１０のボール溝１４の曲率中心Ｏ1は内球面１２の中心Ｏ3に対して、内輪２０のボール溝２４の曲率中心Ｏ2は外球面２２の中心Ｏ4に対して、等距離Ｆだけ軸方向に互いに逆向きにオフセットさせてある（トラックオフセット）。
【００２９】
同様に、ケージ４０の外球面４２の曲率中心Ｏ4と内球面４４の曲率中心Ｏ3は、継手中心Ｏに対して等距離ｆだけ、軸方向に互いに逆向きにオフセットさせてある（ケージオフセット）。
【００３０】
図３に示すように、外輪１０の回転軸Ｘと内輪２０の回転軸Ｙが０°以外のある作動角θをとったとき、両回転軸Ｘ，Ｙのなす角度θの二等分線に垂直な平面すなわち継手中心面Ｐ内にすべてのボール３０があれば、ボール中心から両回転軸Ｘ，Ｙまでの距離が相等しく、したがって、両回転軸Ｘ，Ｙ間で等角速度で回転運動の伝達が行われる。継手中心面Ｐと回転軸Ｘ，Ｙとの交点を継手中心Ｏと称する。固定式等速自在継手では、作動角θに関わりなく継手中心Ｏは固定されている。
【００３１】
対をなす外輪１０のボール溝１４と内輪２０のボール溝２４とで構成されるトラックは、外輪１０のマウス部１６の奥側から開口端１８側に向かって徐々に拡大する楔状を呈している。そして、継手が作動角θをとった状態でトルクを伝達するとき、図２に白抜き矢印で示すように、楔状のトラックの狭い方から広い方へボール３０を押し出そうとする推力が作用する。この推力によってボール３０からケージ４０のポケット４６の壁面に作用する荷重をポケット荷重と呼ぶ。
【００３２】
最大作動角（例えば５２°以上）をとったとき、外輪１０のマウス部１６の開口端１８から飛び出そうとするボール３０をケージ４０で拘束できるように、ケージオフセット量ｆを従来のものよりも大きく設定する。ボール３０の中心軌跡半径値すなわち、外輪１０のボール溝１４の曲率中心Ｏ1または内輪２０のボール溝２４の曲率中心Ｏ2とボール３０の中心Ｏ5とを結ぶ線分の長さをＰＣＲとしたとき、ケージオフセット量ｆのＰＣＲに対する比の値ｆ／ＰＣＲが０．１２以下となるように設定する。
【００３３】
継手の縦断面において、外輪１０のボール溝１４および内輪２０のボール溝２４の溝底をテーパ状とすることにより、最大作動角の高角化に加えて、外輪１０のボール溝１４におけるボール３０との接触長さを確保することができるので、外輪１０と内輪２０との間における安定したトルク伝達が達成される。また、作動角θをとった時にボール３０が最も飛び出そうとする位相（位相角φ＝０°）（図３および図４参照）のトラック荷重およびポケット荷重が低減するので、高角域において有利である。トラック荷重とは、接触するボール３０からボール溝１４，２４の壁面が受ける荷重を意味する。
【００３４】
また、ケージ４０の外球面４２は外輪１０の内球面１２に接触案内され、ケージ４０の内球面４４は内輪２０の外球面２２に接触案内されることから、トルク伝達時にケージ４０と外輪１０または内輪２０との間で球面力（球面同士で押し合う力）が作用するが、その球面力の最大値が低減し、継手内部での発熱の抑制につながる。さらに、鍛造型が抜きやすい形状であるため冷間鍛造による加工性がよく、製造コストの低減も図れる。
【００３５】
外輪１０および内輪２０のボール溝１４，２４の溝底をテーパ状とすることによって、前述のトラック荷重、ポケット荷重および球面力からなる内部力に及ぼす影響およびその傾向を検証し、有限要素法（ＦＥＭ）による解析を行い、テーパ角度αの範囲を絞り込んで最適設定した。まず、テーパ角度αを大きくすることによって内部力に表１に示すような傾向が認められる。なお、表１において、ボール３０が最も飛び出そうとする位相（位相角φ＝０°）と、内部力が最大値となるボール３０の位相（例えばボール３０が最も奥に入る位相近辺（位相角φ＝１８０°））について検証した。また、球面力について変動幅とは、球面力の最大値と最小値との差を意味する。
【００３６】
【表１】
2006266459.tif 000003
【００３７】
表１から明らかなように、テーパ角度αを大きくすると、ポケット荷重の最大値が大きくなるが、ボール３０が外輪１０の最も奥に入る位相近辺（位相角φ＝１８０°）で外輪１０の肉厚を大きくし、また、ケージオフセット量ｆを大きくしてケージ４０の肉厚を大きくすることによって、外輪１０やケージ４０の強度を確保することができるので、問題にはならない。
【００３８】
次に、テーパ角度αの上限値を決定するために有限要素法（ＦＥＭ）解析を行った。テーパ角度αが大きくなれば、ボール３０が最も飛び出そうとする位相（位相角φ＝０°）では内部力（トラック荷重およびポケット荷重）が小さくなり、強度的に有利になるが、外輪１０の開口端１８の肉厚が小さくなるため、ボール溝１４に発生する応力値を継手強度に換算して傾向を確認した。その結果は図５に示すとおりである。テーパ角度α（deg）に対する継手強度の関係を示す同図から明らかなように、テーパ角度αが１２．９°で継手強度が必要強度を下回ることから、テーパ角度αの最適範囲としてその上限値を１２°として規定した。
【００３９】
なお、上述の実施の形態はトラックオフセットを設けた場合を例示したが、トラックオフセットを設けなくてもよい。つまり、トラックオフセットが設けてあると、外輪１０のボール溝１４のうち、マウス部１６の奥側に位置する円弧部分１４ａが奥側にゆくほど浅くなることから、作動角をとった時にボール溝１４の最奥部に位置するボール３０の乗り上げが生じる可能性がある。そこで、このトラックオフセット量を０とすることにより、外輪１０のボール溝１４のうちマウス部１６の奥側に位置する円弧部分１４ａが均一な深さとなることから、作動角をとった時に外輪１０のボール溝１４の最も奥に位置するボール３０の乗り上げを抑制することができる。
【００４０】
トラックオフセット量Ｆ、ケージオフセット量ｆ、テーパ角度αの各因子を変動させて内部力解析を行った結果を次に述べる。ここで、トラックオフセットについては、高角域に入っても許容負荷トルクが落ちない超高角固定式等速自在継手の特性を考慮してトラックオフセット量Ｆ＝０すなわち「トラックオフセットなし」とした。ケージオフセットについては、内部力の観点からはできるだけ小さい方がよいが、継手の機能確保のためにはある程度ケージオフセットをつけなくてはならないことから、０≦ｆ／ＰＣＲ≦０．１５０で変動させた。テーパ角度αについては、０degから１２degまでの範囲で変動させた。
【００４１】
ｆ＝０（ｆ／ＰＣＲ＝０）ならば、テーパ角度αが１．１deg以上のとき０deg位相のトラック荷重およびポケット荷重はゼロになる。
【００４２】
一方、テーパ角度α＝１２degならば、ｆ＝３．９４（ｆ／ＰＣＲ＝０．１１４）以下のとき０deg位相のトラック荷重およびポケット荷重はゼロになる。
【００４３】
つまり、ケージオフセット量ｆとテーパ角度αとの関係が図６の斜線領域内に設定されていれば、０deg位相のトラック荷重およびポケット荷重はゼロになる。ここで、図６は内部力解析により算出したデータに基づいて作図したもので、横軸がテーパ角度α（deg）、縦軸がｆ／ＰＣＲを表している。
【００４４】
これより、０deg位相に負荷される荷重を極力小さくし、より高角作動域において有利となる内部仕様は次のようになる。
トラックオフセット：なし
ケージオフセット量ｆ：ｆ／ＰＣＲ≦０．１２
テーパ角度α：１deg≦α≦１２deg
【００４５】
また、この実施の形態では、０deg位相における荷重が低減する一方、ピークの荷重は従来の等速自在継手と比較して大きくなることから、強度を確保するため、ケージ４０の肉厚部を外輪１０の開口端１８側に向けた配置とするのが好ましい。
【００４６】
上記の内部仕様で寸法を設定した本発明による固定式等速自在継手（実施例）と従来のＵＪタイプ高角固定式等速自在継手（比較例）について、０deg位相におけるポケット荷重の最大値を負荷した時の、ケージ４０の側壁４８の応力値を解析したところ、結果は図７のとおりであった。なお、作動角は実施例（５６°）の方が比較例（５０°）よりも高角設定である。百分率表示は比較例の応力値を１００としたときのものである。このように、実施例は比較例よりも低応力であるため、上記寸法仕様のケージは比較例よりも大きな作動角時に同等以上のケージ強度を発揮すると判断できる。
【００４７】
次に、比較例と実施例とについて、ボール溝のテーパ化による内部力（特にポケット荷重）の影響および傾向を検証し、比較を行ったところ、最大作動角時においてボールが最も飛び出す位相（位相角０deg）のポケット荷重は大幅に低減できたが、その他のすべての位相のポケット荷重を確認したところ、比較例のポケット荷重（最大値）が４６７１Ｎであったのに対して実施例のポケット荷重（最大値）は５９３９Ｎであった。このように、ポケット荷重の最大値は比較例よりも実施例の方が約３０％程度増大する（図８参照）。このときの負荷トルクは同一であるが、最大作動角は異なり、比較例（５０°）よりも実施例（５６°）の方が高角設定である。表２に上記比較例および実施例における仕様を示す。
【００４８】
【表２】
2006266459.tif 000004
【００４９】
ポケット荷重の最大値が増大したのは、ボール溝のテーパ化と、最大作動角アップによる影響である。この増大したポケット荷重に耐え、早期破損を防止し得るケージ仕様として、次のような設定を採用する。カッコ内は従来の固定式等速自在継手（ＢＪ）や高角固定式等速自在継手（ＵＪ）における値である。なお、ケージの外径Ｄｏ、内径Ｄｉ、幅ｗについては図２に示すとおりであるが、ケージの肉厚ｔは軸方向中央部の肉厚である。
【００５０】
ケージの外径Ｄｏのボール径ｄに対する比の値Ｄｏ／ｄ：
３．９≦Ｄｏ／ｄ≦４．１（３．７≦Ｄｏ／ｄ≦３．８）
ケージの肉厚ｔのボール径ｄに対する比の値ｔ／ｄ：
０．３１≦ｔ／ｄ≦０．３４（０．２４≦ｔ／ｄ≦０．２７）
ケージ幅ｗのボール径ｄに対する比の値ｗ／ｄ：
１．８≦ｗ／ｄ≦２．０（１．８≦ｗ／ｄ≦１．９）
【００５１】
ケージ内径Ｄｉのボール径ｄに対する比の値Ｄｉ／ｄは、ケージ外径および肉厚で決まるが、参考までに示すならば次のとおりである：
３．２５≦Ｄｉ／ｄ≦３．４５（３．１０≦Ｄｉ／ｄ≦３．２５）
【００５２】
このとき、ポケット荷重の作用する方向は、外輪のマウス部奥側から開口端に向かう方向となるため、開口端側にケージの厚肉側を配置する。なお、ケージのマウス部奥側は薄肉となる。これは、内輪組み込み用のインロー径を設ける必要があるためである。外輪の開口端側からマウス部奥側に向かう方向のポケット荷重は比較的微小であるため、特に不具合は生じない。
【図面の簡単な説明】
【００５３】
【図１】本発明の実施の形態を示す固定式等速自在継手の縦断面図である。
【図２】図１の要部拡大図である。
【図３】図１の継手が最大作動角をとった状態を示す縦断面図である。
【図４】ボールを収容したケージの横断面図である。
【図５】ボール溝のテーパ角度と継手強度の関係を示す線図である。
【図６】テーパ角度とｆ／ＰＣＲとの関係を示す線図である。
【図７】最大ポケット荷重を負荷したときのポケット側壁の応力値を比較例と実施例とで対比して示すグラフ図である。
【図８】ポケット荷重（最大値）を比較例と実施例とで対比して示すグラフ図である。
【図９】テーパ角度とポケット荷重の関係を示す線図である。
【符号の説明】
【００５４】
１０  外輪
１２  内球面
１４  ボール溝
１６  マウス部
１８  開口端
２０  内輪
２２  外球面
２４  ボール溝
２６  スプライン（またはセレーション）孔
３０  ボール
４０  ケージ
４２  外球面
４４  内球面
４６  ポケット
α  テーパ角度
【図１】
2006266459.tif 000005
【図２】
2006266459.tif 000006
【図３】
2006266459.tif 000007
【図４】
2006266459.tif 000008
【図５】
2006266459.tif 000009
【図６】
2006266459.tif 000010
【図７】
2006266459.tif 000011
【図８】
2006266459.tif 000012
【図９】
2006266459.tif 000013